(57)【要約】【課題】鉄心が２分割となっていると鉄心の素材としての鋼板から鉄心を打抜く際に素材の歩留まりが悪く（廃材になる部分が多く）、鉄心が高価なものになる。【解決手段】Ｉ型の積層鋼板製センタ鉄心の周囲を囲う枠状の積層鋼板製のサイド鉄心を備えた変圧器で、両者によって閉磁路を形成するように構成されている。センタ鉄心が長手方向に２分割され、各センタ鉄心片にサイド鉄心の片側の一部が一体に形成され、残余のサイド鉄心部と合わせて３部分から閉磁路鉄心が形成されている。具体化された実施例ではサイド鉄心は３部分からなり、センタ鉄心は２部分からなる。【選択図】  図１
2011066098.tif 000002
【特許請求の範囲】
【請求項１】
積層鋼板製のセンタ鉄心とそのセンタ鉄心の周囲を包囲するように設けられた積層鋼板製のサイド鉄心とを備え、両者によって閉磁路を形成するように構成されている鉄心と、
センタ鉄心の周囲に装着された一次ボビンに巻回された一次コイル、
前記一次コイルの外周に装着された二次ボビンに巻かれた二次コイル、
前記一次コイルと二次コイルの間の電磁誘導に作用によって発生した高電圧をプラグに供給するよう構成されている変圧器であって、
前記一次コイルと二次コイル及び前記センター鉄心とサイド鉄心はコイルケースに収容され、コイルケース内に封入される絶縁用樹脂によって絶縁状態に樹脂成形され、
前記センタ鉄心の一端部にはサイド鉄心の一部が一体に形成されており、
前記サイド鉄心の残余の部分は前記サイド鉄心の一部と組み合わされて前記センタ鉄心を包囲する枠状に構成されており、前記サイド鉄心の残りの部分と前記センタ鉄心の他側端部との間には空隙部が設けられているものにおいて、
前記センタ鉄心を長手方向に２分割し、分割された各センタ鉄心片に前記サイド鉄心の一部が一体に形成されるように前記サイド鉄心の一部も２分割し、
前記残余のサイド鉄心部と合わせて３部分から閉磁路鉄心を形成した
変圧器。
【請求項２】
請求項１に記載のものにおいて、
前記枠状に形成される前記サイド鉄心の一部であって、前記センタ鉄心に沿って伸びる部分が、前記センタ鉄心と一体に成形されており、
前記センタ鉄心に沿って伸びる前記サイド鉄心の一部は、前記センタ鉄心と前記残余のサイド鉄心との間に形成された空隙に近い位置まで延びて、前記残余のサイド鉄心と組み合わせられている
内燃機関用の独立点火型変圧器。
【請求項３】
請求項１に記載したものにおいて、前記センタ鉄心の分割された部分は長手方向に対し左右対称で、その分割面はストレート形状である
変圧器。
【請求項４】
請求項１に記載したものにおいて、前記センタ鉄心の分割された部分は前記センタ鉄心は長手方向に対し、左右非対称で、その分割面は凹凸形状である
変圧器。
【請求項５】
請求項１に記載したものにおいて、分割された前記センタ鉄心を結合させるために、前記センタ鉄心の表面に熱可塑性樹脂もしくはエラストマもしくはゴムの層が形成されている
変圧器。
【請求項６】
請求項１に記載したものにおいて、分割された前記センタ鉄心を結合する接着剤層が設けられている
変圧器。
【請求項７】
請求項１に記載したものにおいて、分割された前記センタ鉄心を結合する溶接が施されている
変圧器。
【請求項８】
請求項４に記載したものにおいて、分割された前記センタ鉄心の前記凹凸形状の分割面を相互に圧入して結合させた
変圧器。
【発明の詳細な説明】
【技術分野】
【０００１】
本発明は例えば内燃機関の点火プラグに火花放電を発生させるために高電圧を供給する内燃機関用の独立型点火コイルなどに用いる変圧器に関し、ことに、Ｉ型のセンタ鉄心の周囲を囲う枠状のサイド鉄心を備えた変圧器に関する。
【背景技術】
【０００２】
この種変圧器は、積層鋼板製のセンタ鉄心とそのセンタ鉄心の周囲を包囲するように設けられた積層鋼板製のサイド鉄心を備え、両者によって閉磁路を形成するように構成されている。センタ鉄心の外周には一次ボビンに巻回された一次コイルが装着されている。この一次コイルはバッテリに接続され電力が供給される。一次コイルの外周には二次ボビンに巻かれた二次コイルが装着されている。二次コイルはプラグに接続され、一次コイルと二次コイルの間の電磁誘導に作用によって発生した高電圧をプラグに供給するよう構成されている。一次コイルと二次コイル及びセンター鉄心とサイド鉄心はコイルケースに収容され、コイルケース内に封入される絶縁用樹脂によって絶縁状態に樹脂成形されている。
【０００３】
特開２００８−２５８２９１号公報などで知られる従来の点火コイルの変圧器では、鉄心が本願の図４に示すように、センタ鉄心の一端部にはサイド鉄心の一部が一体に形成されている。サイド鉄心の残りの部分はサイド鉄心の一部と接合されてセンタ鉄心を包囲する枠状に構成される。サイド鉄心の残りの部分とセンタ鉄心の他側端部には空隙部が設けられている。かくして鉄心は２部分に分割されている。
【先行技術文献】
【特許文献】
【０００４】
【特許文献１】特開２００８−２５８２９１号公報
【発明の概要】
【発明が解決しようとする課題】
【０００５】
図５に示すように鉄心が２分割となっていると鉄心の素材としての鋼板から鉄心を打抜く際に素材の歩留まりが悪く（廃材になる部分が多く）、鉄心が高価なものになる。
【０００６】
本発明の目的は、鉄心の素材となる鋼板の歩留まりを向上させ（廃材になる部分を少なくし）、安価な鉄心、ひいては安価な変圧器を提供することにある。
【課題を解決するための手段】
【０００７】
本発明では上記目的を達成するために、センタ鉄心を長手方向に２分割し、各センタ鉄心片にサイド鉄心の片側の一部を一体に形成し、残余のサイド鉄心部と合わせて３部分から閉磁路鉄心を形成した。具体化された実施例ではサイド鉄心は３部分からなり、センタ鉄心は２部分からなる。
【発明の効果】
【０００８】
本発明によれば、各センタ鉄心片にサイド鉄心の片側の一部を一体に形成した鉄心片を一対と、残余のサイド鉄心部からなる３つの鉄心片を、センタ鉄心片に平行に並べて鋼板から打抜くことができ、鋼板の廃材面積を低減でき、鉄心を安価に製造することができる。
【図面の簡単な説明】
【０００９】
【図１】本発明に係る変圧器を用いた内燃機関点火コイルの一実施例を示す断面図。
【図２】本発明に係る変圧器を用いた内燃機関点火コイルの一実施例を示す断面図。
【図３】本発明品の鉄心形状。
【図４】従来品の鉄心形状。
【図５】従来品の鉄心のプレス時の金型形状。
【図６】本発明品の鉄心のプレス時の金型形状。
【図７】本発明品の鉄心の分割位置（ストレート形状）を表す図。
【図８】本発明品の鉄心の分割位置（波形状）を表す図。
【図９】本発明品の鉄心の分割位置（凹凸形状）を表す図。
【発明を実施するための形態】
【００１０】
本発明は、空隙部を設けて閉磁路が形成されている鉄心と、この鉄心の外周に一次コイル、二次コイルを順次巻回してなり、閉磁路を形成する鉄心のセンタ鉄心を長手方向に対し２分割し、鉄心を２つのセンタ鉄心とサイド鉄心の３分割とすることによって達成される。
【実施例１】
【００１１】
図１，図２には、本発明に係る変圧器を用いた内燃機関用点火コイルの一実施例が示されている。図１は内燃機関用点火コイルの構成図、図２は図１に図示の内燃機関用点火コイルのＡ−Ａ線断面図である。
【００１２】
図１において、内燃機関用点火コイル１は、内燃機関の各シリンダのプラグホールに装着されて点火プラグに直結し使用される独立点火形の内燃機関用点火コイルである。この内燃機関用点火コイル１は、鉄心６を有し、この鉄心６は、Ｅ字状に形成されており、磁気回路が構成されている。この鉄心６は、０.２〜０.７mmの珪素鋼板をプレス積層して閉磁路をなす磁路を形成している。そして、この鉄心６は、センタ鉄心の長手方向で分割され、センタ鉄心部６Ａ１と、センタ鉄心６Ａ２と、サイド鉄心部６Ｂとによって構成されている。このサイド鉄心部６Ｂは、図２に示す如く、矩形の枠状に形成され、閉磁路が形成されている。
【００１３】
そして、このセンタ鉄心部６Ａは、図２に示す如く、一端が矩形の枠状に形成されるサイド鉄心部６Ｂの一側に固着され、他端が矩形の枠状に形成されるサイド鉄心部６Ｂの他側と空隙部６Ｃを設けて配置されている。このセンタ鉄心部６Ａは、図１に示す如く、一次ボビン２に収納されている。この鉄心６の外周側に配設されセンタ鉄心部６Ａが収納されている一次ボビン２は、熱可塑性合成樹脂により形成されている。この一次ボビン２の上には、一次コイル３が巻装され、一次ボビン２の上に収納されている。この一次コイル３は、線径０.３〜１.０mm程度のエナメル線を一層当たり数十回ずつ、数層にわたり合計百ないし三百回程度一次ボビン２に積層巻されて形成されている。
【００１４】
また、この一次ボビン２の外周には、空隙をもって、二次ボビン４が配設されている。この二次ボビン４は、一次ボビン２と同様に熱可塑性合成樹脂によって成形されており、この二次ボビン４には複数個の巻溝が形成されている。この二次ボビン４の上には、二次コイル５が巻装され、一次ボビン２の上に収納されている。この二次コイル５は、線径０.０３〜０.１mm程度のエナメル線を用いて合計五千ないし三万回程度二次ボビン４に分割巻されて形成されている。このように、一次ボビン２は、二次ボビン４の内側に挿入された状態となっている。また、矩形の枠状に形成されるサイド鉄心部６Ｂの一側に固着されるセンタ鉄心部６Ａの他端と、サイド鉄心部６Ｂとの空隙部６Ｃには、一次コイルの通電によって鉄心６を励磁する方向と逆方向に磁化された図示していない永久磁石を挿入してもよい。この一次ボビン２に巻装された一次コイル３，二次ボビン４に巻装された二次コイル５は、コイルケース７に収納されている。
【００１５】
また、一次コイル３に供給する電力は、端子８を介して供給され、この端子８には、図示していないが、コネクタが接続されるようになっている。一方、二次コイル５には、高圧端子９が接続されている。この二次コイル５には、一次コイル３の通電によって点火プラグに火花放電を発生させるための高電圧が誘起される。この二次コイル５に誘起された高電圧は、高圧端子９を介して点火プラグに供給され、この二次コイル５に誘起された高電圧の供給を受け、点火プラグは、火花放電を発生させる。
【００１６】
そして、この一次ボビン２に巻装された一次コイル３，二次ボビン４に巻装された二次コイル５が収容されているコイルケース７には、熱硬化性樹脂で構成される絶縁用樹脂（具体的には、エポキシ樹脂）１０が封入されている。この絶縁用樹脂（具体的には、エポキシ樹脂）１０は、コイルケース７の内側と、一次ボビン２に巻装された一次コイル３，二次ボビン４に巻装された二次コイル５との隙間に充填され、この絶縁用樹脂（具体的には、エポキシ樹脂）１０を硬化させて一次コイル３，二次コイル５との絶縁を行っている。このようにコイルケース７内には、この絶縁用樹脂（具体的には、エポキシ樹脂）１０によって一次コイル３，二次コイル５，一次ボビン２，二次ボビン４が絶縁され、固定されて一体化して収容されている。
【００１７】
鉄心６は珪素鋼板でプレス積層されており、近年の鉄材高騰により、鉄心６は非常に高価なものとなりつつある。本発明の鉄心６は、図３に示すようにセンタ鉄心を長手方向に対し２分割し、センタ鉄心６Ａ１と、センタ鉄心６Ａ２と、サイド鉄心６Ｂと分割された構造としている。上記のような分割方法とさせることで、珪素鋼板の素材から鉄心を打抜く際に素材を捨てる面積を少なくしている。また、従来の鉄心を２分割された形状を図４に示す。さらに、従来のように鉄心６を２分割とした場合と、本発明品に示すセンタ鉄心６Ａの長手方向でセンタ鉄心６Ａを分割した場合のプレス時の金型形状を図５、及び図６に示す。図５は従来の鉄心を２分割とした場合のプレス時の金型形状を示しており、この場合の歩留まりは約４０％であり、非常に材料取りが悪く、約６０％を捨ててしまうことになる。図６は本発明品のセンタ鉄心を長手方向に対し分割し、３分割構造とした場合のプレス時の金型形状を示しており、この場合の歩留まりは約５５％であり、従来の形状に対し約１５％歩留まりが向上している。
【００１８】
本発明にようにセンタ鉄心の長手方向に分割を設けても、一次コイルの通電によって鉄心６を励磁する方向と平行に分割されているため、点火コイルの出力性能が従来の２分割の鉄心よりも低下することはない。さらにセンタ鉄心６Ａ内で発生する渦電流をセンタ鉄心を分割させることで減少できるため、磁気エネルギのロスが従来の２分割の鉄心よりも少なく、点火コイルの出力性能を向上させることが可能となる。
【００１９】
また、本発明品のように３分割とすることで、図６に示すようにプレス時の金型形状のサイド鉄心６Ｂを珪素鋼板の素材の圧延方向にサイド鉄心６Ｂの長手方向を得ることができる。珪素鋼板は素材の圧延方向と圧延直角方向とでは磁気性能が異なり、圧延方向の方が１.２倍から３倍程度優れている。したがって、本発明品の鉄心は珪素鋼板の圧延方向を従来の２分割よりも有効に利用できるため、点火コイルの出力性能を向上させることが可能である。
【００２０】
センタ鉄心６Ａの分割されたセンタ鉄心６Ａ１とセンタ鉄心６Ａ２を結合する方法としては本実施例では、センタ鉄心６Ａを組合せた状態で表面に熱可塑性樹脂もしくはエラストマもしくはゴムで覆った構造とし、センタ鉄心６Ａ１とセンタ鉄心６Ａ２が結合された形状としている。このセンタ鉄心６Ａ１とセンタ鉄心６Ａ２を結合させるには上記の熱可塑性樹脂もしくはエラストマもしくはゴムでインサート成形させることが望ましい。
【００２１】
また、センタ鉄心６Ａ１とセンタ鉄心６Ａ２を結合させる別の方法として、例えばシリコーン接着剤などの接着剤で結合させてもかまわない。さらにセンタ鉄心６Ａ１とセンタ鉄心６Ａ２の結合面を溶接（具体的にはレーザー溶接やＴｉｇ溶接）により結合させることもできる。
【００２２】
また、センタ鉄心６Ａの分割面は図７に示すようなストレート形状だけでなく、図８に示すような波形状や図９に示すような凹凸形状としてもかまわない。波形状や凹凸形状とすることで、センタ鉄心を結合させる際に長手方向の位置ズレを抑制させることが可能となるため、容易に結合できる。さらに分割面を凹凸形状とすることで、凹み側と凸側を圧入できる構造としてセンタ鉄心６Ａ１と６Ａ２を結合させることもできる。以下日本実施例の態様を整理する。
【００２３】
（実施の態様１）
空隙部を設けた閉磁路を形成する鉄心と、鉄心の外周に巻回された一次コイル、二次コイルを備えた内燃機関点火コイルにおいて、空隙部を前記鉄心のセンタ鉄心片端に配設し、前記センタ鉄心は長手方向に対し分割されていることを特徴とした点火コイル。
【００２４】
（実施の態様２）
実施の態様１に記載した点火コイルにおいて、前記センタ鉄心は長手方向に分割され、その分割面はストレート形状とし、前記センタ鉄心は長手方向に対し、左右対称となる前記センタ鉄心を備えた点火コイル。
【００２５】
（実施の態様３）
実施の態様１に記載した点火コイルにおいて、前記センタ鉄心は長手方向に分割され、その分割面は凹凸形状とし、前記センタ鉄心は長手方向に対し、左右非対称となる前記センタ鉄心を備えた点火コイル。
【００２６】
（実施の態様４）
実施の態様１に記載した点火コイルにおいて、前記センタ鉄心は長手方向に分割され、分割された前記センタ鉄心を結合させるために、前記センタ鉄心の表面に熱可塑性樹脂もしくはエラストマもしくはゴムでインサート成形してセンタ鉄心を結合させたことを特徴とする点火コイル。
【００２７】
（実施の態様５）
実施の態様１に記載した点火コイルにおいて、前記センタ鉄心は長手方向に分割され、分割された前記センタ鉄心を結合させるために、接着剤により結合させたことを特徴とする点火コイル。
【００２８】
（実施の態様６）
実施の態様１に記載した変圧器において、前記センタ鉄心は長手方向に分割され、分割された前記センタ鉄心を結合させるために、分割面を溶接により結合させたことを特徴とする点火コイル。
【００２９】
（実施の態様７）
実施の態様３に記載した点火コイルにおいて、前記センタ鉄心の分割面を凹凸形状としていることで、この凹凸形状によりセンタ鉄心通しを圧入させ、結合させたことを特徴とする点火コイル。
【００３０】
本発明は内燃機関用の独立型点火コイルだけでなく他のタイプの点火コイル、ボイラなどの点火コイル用の変圧器あるいは他の用途の変圧器に適用することができる。
【符号の説明】
【００３１】
１  内燃機関用点火コイル
２  一次ボビン
３  一次コイル
４  二次ボビン
５  二次コイル
６  鉄心
７  コイルケース
８  端子
９  高圧端子
１０  絶縁用樹脂
【図１】
2011066098.tif 000003
【図２】
2011066098.tif 000004
【図３】
2011066098.tif 000005
【図４】
2011066098.tif 000006
【図５】
2011066098.tif 000007
【図６】
2011066098.tif 000008
【図７】
2011066098.tif 000009
【図８】
2011066098.tif 000010
【図９】
2011066098.tif 000011